(57)【特許請求の範囲】
【請求項１】
回路基板と、この回路基板の表裏一方側の基板面に間隔を介して対向配置する平板状部位を備えた回路基板収容用のカード型ケースとを有し、
カード型ケースの平板状部位と、これに対向する回路基板面との間の隙間空間の一部がメモリカード収納空間部と成し、
このメモリカード収納空間部には、当該空間部に連通するメモリカード挿入口から回路基板面に沿うように差し込まれたメモリカードが着脱自在に収納される構成を備えたカード型装置であって、
回路基板におけるメモリカード収納空間部の部位にはメモリカードを回路基板の回路に電気的に接続させるための端子が設けられ、
また、カード型ケースの平板状部位は板部材により構成されており、この板部材は、メモリカードの挿入終端側のカード型ケース端部よりも更にメモリカードの着脱方向に張り出し形成された張り出し部を有し、この張り出し部はその張り出しの基端側をカード型ケース内側に折り曲げて、メモリカード収納空間部に差し込まれたメモリカードに対向する部分に、回路基板と平板状部位間の隙間間隔調整用の板部と成して配設され、
その板部には、メモリカード収納空間部に収納されたメモリカードを回路基板の端子に押し付けてメモリカードと端子との接触圧を高めるための突起部が形成されていることを特徴とするカード型装置。
【請求項２】
隙間間隔調整用の板部に設けられている突起部は、メモリカード挿入口からメモリカード収納空間部に差し込まれるメモリカードの差し込み方向に沿って伸びるリブ形態と成していることを特徴とする請求項１記載のカード型装置。
【請求項３】
隙間間隔調整用の板部に設けられている突起部の突出高さは、メモリカード挿入口側からメモリカード収納空間部の奥側に向かうに従って連続的に高くなっていることを特徴とする請求項２記載のカード型装置。
【発明の詳細な説明】
【技術分野】
【０００１】
本発明は、ＳＩＭ（Subscriber-Identity-Module）カード等のメモリカードを装着することができるＣＦカード等のカード型装置に関するものである。なお、ＣＦ（コンパクトフラッシュ）は日本国特許庁により商標登録を受けている商標である。
【背景技術】
【０００２】
図７ａにはカード型装置の一形態例が模式的な斜視図により示され、図７ｂには図７ａに示されるＡ−Ａ部分の模式的な断面図が表されている。このカード型装置１は例えばＰＣカードやＣＦカードであり、回路基板２と、この回路基板２を収容配置するカード型ケース３とを有して構成されている。当該カード型装置１は、カード型ケース３の側端面に形成されたメモリカード挿入口４からＳＩＭカード等のメモリカード５を図７ａの点線に示されるようにカード型ケース３の内部に差し込んで着脱自在に収容配置することができる構成を備えている。【０００３】
すなわち、このカード型装置１の構成では、カード型ケース３は、当該ケース３の内部に収容配置されている回路基板２の表側の基板面に間隔を介して配置される平板状部位６を有している。この平板状部位６と回路基板２との間の隙間空間の一部がメモリカード５を収容配置するためのメモリカード収納空間部８となっている。回路基板２におけるメモリカード収納空間部８の部位には、メモリカード収納空間部８にメモリカード５が図７ｃの模式的な断面図に示されるように収容配置されたときにメモリカード５に対向する部分に端子１２が設けられている。メモリカード５のカード面（図７ａの例ではメモリカード５の裏面）には、メモリカード５に内蔵されている回路を電気的に外部と接続させるための電極１０が形成されている。端子１２は、その電極１０に対応させて設けられるものである。メモリカード５がメモリカード収納空間部８内に収納配置されたときにメモリカード５の電極１０に端子１２が接触接続してメモリカード５の回路を回路基板２の回路に電気的に接続させる。なお、図７ｂおよび図７ｃの例では、端子１２は、コネクタ部１３に設けられた態様でもって回路基板２に配設されている。【０００４】
【特許文献１】特開２００２−２９８０９２号公報
【特許文献２】特開平９−１７４９３号公報
【特許文献３】特開平１０−１７２６５９号公報
【発明の開示】
【発明が解決しようとする課題】
【０００５】
ところで、カード型ケース３の厚みＤは例えば規格により定められるものである。このため、回路基板２の厚みや、回路基板２に搭載される回路構成用の部品の高さ（特に背高な部品の高さ）や、カード型ケース３の平板状部位６の厚み等を考慮すると、必然的に、回路基板２の基板面と、カード型ケース３の平板状部位６との間の隙間間隔Ｈは定まってしまう。また、メモリカード５の厚みｄも例えば規格により定められているものである。【０００６】
図７ｂの例では、端子１２はコネクタ部１３の上面に配置されている。その端子１２の配置位置と、平板状部位６との間の隙間間隔がメモリカード５の厚みｄよりも広すぎることがある。この場合には、回路基板２と平板状部位６間のメモリカード収納空間部８にメモリカード５を差し込んで収納したときに、メモリカード５がメモリカード収納空間部８内で遊んでしまうことがある。この場合には、メモリカード５の電極１０と、回路基板２側の端子１２とを安定的に接触接続させることができず、メモリカード５の回路と、回路基板２の回路との電気的な接続が不安定なものとなってしまう。【０００７】
このため、そのような問題を回避するために、メモリカード５の電極１０を回路基板２側の端子１２に安定的に電気的に接触接続させるための構成が様々に提案されている。しかしながら、それら提案の構成では、部品点数が多くて複雑な構造であったり、カード型ケース３に占める占有面積が大きくて回路形成領域を狭めてしまったり、製造コストが掛かってカード型装置１の低コスト化が困難であるというような問題が発生して、何れの構成も満足できるものではなかった。
【課題を解決するための手段】
【０００８】
この発明は次に示す構成をもって前記課題を解決するための手段としている。すなわち、この発明は、回路基板と、この回路基板の表裏一方側の基板面に間隔を介して対向配置する平板状部位を備えた回路基板収容用のカード型ケースとを有し、
カード型ケースの平板状部位と、これに対向する回路基板面との間の隙間空間の一部がメモリカード収納空間部と成し、
このメモリカード収納空間部には、当該空間部に連通するメモリカード挿入口から回路基板面に沿うように差し込まれたメモリカードが着脱自在に収納される構成を備えたカード型装置であって、
回路基板におけるメモリカード収納空間部の部位にはメモリカードを回路基板の回路に電気的に接続させるための端子が設けられ、
また、カード型ケースの平板状部位は板部材により構成されており、この板部材は、メモリカードの挿入終端側のカード型ケース端部よりも更にメモリカードの着脱方向に張り出し形成された張り出し部を有し、この張り出し部はその張り出しの基端側をカード型ケース内側に折り曲げて、メモリカード収納空間部に差し込まれたメモリカードに対向する部分に、回路基板と平板状部位間の隙間間隔調整用の板部と成して配設され、
その板部には、メモリカード収納空間部に収納されたメモリカードを回路基板の端子に押し付けてメモリカードと端子との接触圧を高めるための突起部が形成されていることを特徴としている。
【発明の効果】
【０００９】
この発明によれば、カード型ケースの平板状部位には、メモリカード収納空間部に差し込まれたメモリカードに対向する部分に、隙間間隔調整用の板部が配設され、その板部には突起部が形成されている構成とした。この構成を備えることにより、カード型ケースの平板状部位と、カード型ケースに収容配置されている回路基板との間の隙間間隔が様々な制約により定まっていても、隙間間隔調整用の板部の板厚や板部の突起部の高さを調整するだけで、メモリカードが差し込まれる隙間間隔（メモリカード収納空間部の高さ）を調整できることとなる。このため、回路基板の端子の配置位置と、カード型ケースの平板状部位との間の隙間間隔がメモリカードの厚みに対して広すぎる場合であっても、隙間間隔調整用の板部および当該板部の突起部によって、メモリカードを回路基板の端子に押し付け接触させた状態でメモリカード収納空間部内に収納配置することができる。【００１０】
換言すれば、隙間間隔調整用の板部を設けると共に当該板部に突起部を設けるだけという簡単な構成でもって、メモリカード収納空間部に収納されたメモリカードと、回路基板の端子とを安定的に接触接続させることができる適切な押圧力（接触圧）で、メモリカードを回路基板の端子に電気的に押圧接触接続させることができる。これにより、材料コストおよび製造コストの大幅な削減を図りつつ、また、回路形成領域の縮小化を防止しながら、メモリカードと回路基板の端子との電気的な接続の安定性を高めることができる。【００１１】
また、この発明の構成では、隙間間隔調整用の板部を設けると共に当該板部に突起部を設けるだけで、メモリカードを回路基板の端子に押圧接触接続させる構成であり、メモリカードを回路基板の端子に押圧接触接続させるための動作機構を持たない。このため、メモリカードを回路基板の端子に押圧接触接続させるための構成部分の故障の心配が無い。
【図面の簡単な説明】
【００１２】
【図１】第１実施例のカード型装置において特徴的な構成部分を表す断面図である。
【図２ａ】図２ｂと共に、第１実施例のカード型装置を構成するカード型ケースの平板状部位の構成例を説明するための図である。
【図２ｂ】図２ａと共に、第１実施例のカード型装置を構成するカード型ケースの平板状部位の構成例を説明するための図である。
【図３ａ】図３ｂと共に、第１実施例の構成から得られる効果の一つを説明するための図である。
【図３ｂ】図３ａと共に、第１実施例の構成から得られる効果の一つを説明するための図である。
【図４】第２実施例において特徴的な構成部分を説明するための図である。
【図５】隙間間隔調整用の板部に設けられる突起部のその他の形態例の一つを表した模式的な平面図である。
【図６ａ】突起部のさらに別の形態例を説明するための図である。
【図６ｂ】さらにまた、突起部の別の形態例を説明するための図である。
【図７ａ】カード型装置の一例を説明するための模式的な斜視図である。
【図７ｂ】図７ａに示されるＡ−Ａ部分の模式的な断面図である。
【図７ｃ】図７ａに示されるＡ−Ａ部分のメモリカード収納空間部にメモリカードを挿入配置した場合の一状態例を表した模式的な断面図である。
【符号の説明】
【００１３】
１  カード型装置
２  回路基板
３  カード型ケース
４  メモリカード挿入口
５  メモリカード
６  平板状部位
８  メモリカード収納空間部
１２  端子
１５  隙間間隔調整用の板部
１６  突起部
【発明を実施するための最良の形態】
【００１４】
以下に、この発明に係る実施例を図面に基づいて説明する。なお、以下に述べる実施例の説明において、図７ａ〜図７ｃに示されるカード型装置１と同一構成部分には同一符号を付し、その共通部分の重複説明は省略する。【００１５】
この第１実施例のカード型装置１は、図７ａのカード型装置１と同様に、回路基板２と、回路基板２を収容配置するカード型ケース３とを有して構成されている。当該カード型装置１は、カード型ケース３の側端面に形成されたメモリカード挿入口４から回路基板２の基板面に沿うように差し込まれたメモリカード５をカード型ケース３内のメモリカード収納空間部８に着脱自在に収納することができる構成を備えている。図１には第１実施例において特徴的な構成部分が抜き出され模式的な断面図により示されている。なお、図１は図７ａのＡ−Ａ部分と同じ位置のカード型装置１の断面図である。また、この第１実施例では、図示されていないがカード型ケース３の内部には回路基板２を係止するための係止部が設けられ、回路基板２はカード型ケース３の厚み方向の中央位置に保持されている。【００１６】
この第１実施例では、回路基板２の表面に間隔を介して対向配置するカード型ケース３の平板状部位６には、当該平板状部位６と回路基板２との間の隙間間隔調整用の板部１５が設けられている。平板状部位６における隙間間隔調整用の板部１５の配置位置は、メモリカード収納空間部８に差し込まれたメモリカード５に対向する部分である。この板部１５には、回路基板２側に向けて突き出し形成された突起部１６が例えば押し出し加工により形成されている。この第１実施例では、隙間間隔調整用の板部１５および突起部１６に関わる構成以外のカード型装置１の構成部分は図７ａに示されるカード型装置１と同様である。また、カード型装置１のメモリカード収納空間部８内に差し込まれたメモリカード５をカード型装置１の外に抜き出すための構成がカード型装置１に設けられるが、その構成には様々な構成があり、ここでは、何れの構成を採用してもよく、その説明は省略する。【００１７】
この第１実施例では、カード型ケース３の平板状部位６は、図２ｂの模式的な斜視図に示されるような例えば金属から成る板部材１７により構成されている。板部材１７は、図２ａに示されるように、メモリカード５の挿入終端５s側のカード型ケース端部よりも更にメモリカード５の着脱方向αに張り出した張り出し部１７Ａを有している。この張り出し部１７Ａの張り出しの基端側をカード型ケース３の内側に折り曲げて隙間間隔調整用の板部１５が形成されている。なお、隙間間隔調整用の板部１５の大きさは、メモリカード５の大きさと同様な大きさであってもよいし、全ての端子１２に対向することができる程度の大きさであってもよい。【００１８】
この第１実施例では、その張り出し部１７Ａの基端側の折り曲げ部分Ｋが図３ａの模式的な断面図に示されるようにメモリカード挿入口４の開口端の一部と成す。これに対して、従来には、例えば、図３ｂのモデル図に示されるように、板部材１７の端面（つまり切断面）がメモリカード挿入口４の開口端の一部と成す場合があった。板部材１７の端面には例えば切断加工に起因した微小なバリ等がある。このため、例えば、メモリカード５の着脱を行う際に、その板部材１７の端面に人の指などが触れると、指等を板部材１７の端面のバリ等によって傷付けてしまう危険性がある。これに対して、この第１実施例では、張り出し部１７Ａの基端側の折り曲げ部分Ｋがメモリカード挿入口４の開口端の一部と成し、張り出し部１７Ａの端面（切断面）はカード型ケース３の内部に位置することとなる。このため、板部材１７の端面が人の指などに触れることをほぼ回避でき、これにより、板部材１７の端面に起因した危険性をほぼ無くすことができる。【００１９】
隙間間隔調整用の板部１５に設けられる突起部１６は、メモリカード挿入口４からメモリカード収納空間部８に差し込まれるメモリカード５の差し込み方向αに沿って伸びるリブ形態と成している。この第１実施例では、複数本の突起部１６が互いに間隔を介して並設されている。突起部１６は、メモリカード収納空間部８に収納されたメモリカード５を回路基板２の端子１２に押し付けてメモリカード５と端子１２との接触圧を高めるためのものである。なお、この第１実施例では、端子１２は、メモリカード５からの押圧力によって弾性変形してメモリカード５に付勢力を加えることができる構成となっている。【００２０】
ところで、この第１実施例では、突起部１６は、平板状部位６に直接的に設けられず、平板状部位６に隙間間隔調整用の板部１５をわざわざ配設し当該隙間間隔調整用の板部１５に突起部１６が設けられている。それというのは次に示すような理由による。つまり、突起部１６は押し出し加工により形成されている。このために、平板状部位６に直接的に突起部１６を形成すると、平板状部位６の外表面に突起部１６に起因した凹部が形成されることとなり、見栄えが悪くなってしまう。これに対して、隙間間隔調整用の板部１５は平板状部位６の裏面側に配置されて外側から見えないので、その隙間間隔調整用の板部１５に突起部１６を設けることにより、見栄えの悪さの問題発生を回避することができる。【００２１】
この第１実施例では、隙間間隔調整用の板部１５は、平板状部位６を構成する板部材１７に設けた張り出し部１７Ａを折り曲げ加工して形成される構成とした。このため、平板状部位６も隙間間隔調整用の板部１５も同じ板部材１７により構成されることから、平板状部位６の板厚が定まると、必然的に、隙間間隔調整用の板部１５の板厚も定まってしまう。つまり、製造の容易さという効果を得ることができる反面、隙間間隔調整用の板部１５の板厚の設計の自由度（換言すれば、端子１２の配置位置と隙間間隔調整用の板部１５との間の隙間間隔の設計の自由度）が低いという欠点がある。これに対して、この第１実施例では、隙間間隔調整用の板部１５に突起部１６を設けており、その突起部１６の突出高さに対する制約は殆どないので、突起部１６の設計の自由度は高いものである。このために、メモリカード５と端子１２の接触圧が電気的接続の信頼性を得ることができる適切な接触圧となるように、突起部１６の突出高さを可変調整できて、メモリカード収納空間部８の高さを調整することができる。【００２２】
また、この第１実施例では、隙間間隔調整用の板部１５の突起部１６は、メモリカード挿入口４からメモリカード収納空間部８に差し込まれるメモリカード５の差し込み方向αに沿って伸びるリブ形態と成っている。このために、メモリカード５がメモリカード収納空間部８の内部に差し込み前進しているときに、そのメモリカード５は突起部１６に引っかかることなく、スムーズにメモリカード収納空間部８の奥側に前進していくことができる。つまり、突起部１６に起因したメモリカード５の挿入性の悪化を防止することができる。【００２３】
さらに、この第１実施例では、カード型ケース３の平板状部位６は板部材１７により構成されており、この板部材１７は、メモリカード５の挿入終端側のカード型ケース３の端部よりも更にメモリカード５の着脱方向に張り出し形成された張り出し部１７Ａを有し、この張り出し部１７Ａはその張り出しの基端側をカード型ケース３の内側に折り曲げて隙間間隔調整用の板部１５と成している構成である。平板状部位６の板部材に形成された張り出し部１７Ａを、その張り出しの基端側でカード型ケースの内側に折り曲げるだけで、簡単に、隙間間隔調整用の板部１５を形成することができるので、製造工程の煩雑化を防止することができる。【００２４】
以下に、第２実施例を説明する。なお、この第２実施例の説明において、第１実施例と同一構成部分には同一符号を付し、その共通部分の重複説明は省略する。【００２５】
この第２実施例では、図４の模式的な断面図に示されるように、隙間間隔調整用の板部１５に設けられている突起部１６の突出高さが、メモリカード挿入口４側からメモリカード収納空間部８の奥側に向かうに従って連続的に高くなっている。それ以外の構成は第１実施例と同様である。【００２６】
この第２実施例では、隙間間隔調整用の板部１５の突起部１６の突出高さが、メモリカード挿入口４からメモリカード収納空間部８の奥側に向かうに従って連続的に高くなっている構成である。このために、次に示すような効果を得ることができる。つまり、メモリカード挿入口４側の突起部１６の突出高さを低くしてメモリカード５をメモリカード挿入口４からメモリカード収納空間部８の内部に差し込み易くする。それと共に、メモリカード収納空間部８の奥側の突起部１６の高さによってメモリカード５を回路基板２の端子１２に押し付けてメモリカード５と回路基板２の端子１２との接触圧を強めることができる。このために、メモリカード５の挿入性の向上と、メモリカード５と端子１２との接触接続の安定性の向上とを両方共に得ることが容易となる。【００２７】
なお、この発明は第１や第２の各実施例の形態に限定されるものではなく、様々な実施の形態を採り得る。例えば、第１や第２の各実施例では、突起部１６は、メモリカード５の差し込み方向αに沿って伸びるリブ形態であったが、突起部１６の形態は、例えば図５の平面図に示されるように、メモリカード５の差し込み方向αに交差する斜め方向に伸びるリブ形態であってもよい。また、突起部１６は線状ではなく、点状であっても、面状であってもよい。突起部１６の形態は、メモリカード５を端子１２に押し付けてメモリカード５と端子１２の接触圧を高めることができる形態であれば、特に限定されるものではない。なお、点状の突起部１６を設ける場合には、例えば、隙間間隔調整用の板部１５には、複数の点状の突起部１６が互いに間隔を介して点在配置される構成とする。また、複数の点状の突起部１６を１本又は複数の仮想線上に沿って互いに間隔を介しながら配列配置される構成としてもよい。【００２８】
また、第１や第２の各実施例では、突起部１６は、メモリカード収納空間部８に収納されたメモリカード５に対向する部分のみに設けられていたが、例えば、図６ａの断面図に示されるように、突起部１６は、そのようなメモリカード収納空間部８内に差し込まれたメモリカード５に対向する部分からメモリカード挿入口４の開口端縁を介して平板状部位６の表面側に回り込んで形成されている構成としてもよい。平板状部位６の端縁部分においてメモリカード挿入口４の開口端縁を形成している部分は、支持固定されていないフリーな部分であるので、機械的な強度が弱い。その端縁部分のカード内側から端面を介しカード外側に突起部（リブ）１６が図６ａの例の如く回り込み形成されることにより、当該端縁部分の強度を強化することができる。なお、突起部１６が平板状部位６の表面側に回り込む形態である場合にも、図６ｂの断面図に示されるように、第２実施例と同様に、メモリカード挿入口４側からメモリカード収納空間部８の奥側に向かうに従って突起部１６の突出高さが高くなる構成としてもよい。【００２９】
さらに、第１や第２の各実施例では、端子１２はコネクタ部１３に設けられている状態で回路基板２に搭載されていたが、端子１２は回路基板２の基板面に直接的に配設されている構成としてもよい。さらに、第１や第２の各実施例では、突起部１６は押し出し加工により形成されていたが、例えば、突起部１６は押し出し加工以外の手法により形成されたものであってもよい。【００３０】
さらに、第１や第２の各実施例では、隙間間隔調整用の板部１５は、平板状部位６を構成する板部材１７に設けられた張り出し部１７Ａを折り返す方向に折り曲げて形成されていたが、例えば、隙間間隔調整用の板部１５を板部材１７とは別個の板部材により構成し、隙間間隔調整用の板部１５を平板状部位６（板部材１７）に例えば接着剤等により取り付ける構成としてもよい。この場合には、隙間間隔調整用の板部１５の板厚を、平板状部位６（板部材１７）の板厚に規制されずに設定することができるので、設計の自由度を高めることができる。
【産業上の利用可能性】
【００３１】
本発明は、メモリカードを収納する機能を備えたカード型装置に適用することができるものである。本発明は、装置構成の複雑化を防止しながら、メモリカードと回路基板の回路との電気的な接続の安定性を得ることができるので、特に、小型・薄型で、メモリカード挿入中における電気的な性能に対して高い信頼性が要求されるカード型装置に適用するのに有効である。
【図１】
0004310470.tif 000002
【図２ａ】
0004310470.tif 000003
【図２ｂ】
0004310470.tif 000004
【図３ａ】
0004310470.tif 000005
【図３ｂ】
0004310470.tif 000006
【図４】
0004310470.tif 000007
【図５】
0004310470.tif 000008
【図６ａ】
0004310470.tif 000009
【図６ｂ】
0004310470.tif 000010
【図７ａ】
0004310470.tif 000011
【図７ｂ】
0004310470.tif 000012
【図７ｃ】
0004310470.tif 000013